(57)【要約】【課題】主に、十分な視覚効果が得られるようにする。【解決手段】透明な基板で構成された文字板本体３の表面に、微細レンズ４を多数配置して成る微細レンズ層５を設けると共に、文字板本体３の裏面に、微細レンズ層５と対応させて拡大表示用図形部６を設けた文字板構造であって、拡大表示用図形部６が、色彩等の異なる二種類の四角形状部１１，１２を交互に並べて成る市松模様１３の図柄とされると共に、市松模様１３の図柄を構成する二種類の四角形状部１１，１２のそれぞれに対して、色彩等ごとに方向性が異なるように、縦縞模様１４と横縞模様１５とを施すことにより、市松模様１３の拡大表示用図形部６が、あたかも文字板本体３の奥側の、文字板本体３から離れた位置に、実物の織布１６または実物に近似した織布１６が存在するかの如く見え得るように構成するようにしている。【選択図】図１
2010038812.tif 000002
【特許請求の範囲】
【請求項１】
透明な基板で構成された文字板本体の表面に、微細レンズを多数配置して成る微細レンズ層を設けると共に、
文字板本体の裏面に、微細レンズ層と対応させて拡大表示用図形部を設けることにより、
前記微細レンズ層によって、前記拡大表示用図形部が、文字板本体に対し、奥側に離間し且つ拡大された状態で視認可能な沈込虚像部が得られるように構成した文字板構造において、
前記拡大表示用図形部が、色彩等の異なる二種類の四角形状部を交互に並べて成る市松模様の図柄とされると共に、
市松模様の図柄を構成する二種類の四角形状部のそれぞれに対して、色彩等ごとに方向性が異なるように、縦縞模様と横縦縞模様とを施すことにより、
前記市松模様の拡大表示用図形部が、あたかも文字板本体の奥側の、文字板本体から離れた位置に、実物の織布または実物に近似した織布が存在するかの如く見え得るように構成したことを特徴とする文字板構造。
【請求項２】
前記文字板本体が、少なくとも、指針軸孔と、該指針軸孔を中心として周囲に拡がる指針回動領域とを有し、
該指針回動領域が、指針軸孔の近くに位置する中央領域と、該中央領域の外周側に位置する数値表示領域、および、目盛領域とを有し、
前記沈込虚像部が、少なくとも、中央領域の部分に対して設けられたことを特徴とする請求項１記載の文字板構造。
【発明の詳細な説明】
【技術分野】
【０００１】
この発明は、文字板構造に関するものである。
【背景技術】
【０００２】
自動車などの車両には、車室内の前部に樹脂製のインストルメントパネルが設けられている。このインストルメントパネルの運転席側の部分には、計器装置などの車両用表示装置が設けられている。このような車両用表示装置には、文字板を備えたものが存在している。この文字板は、透明な樹脂製の基板で構成された文字板本体を有している。
【０００３】
そして、このような文字板本体に対し、その表面に複数の凸レンズ部を形成すると共に、その裏面に、各凸レンズ部のそれぞれと対応する画素部を備えることにより、各凸レンズ部で各画素部を拡大させて、文字板本体の奥側に画素部の虚像を発生させるようにしたものが知られている（例えば、特許文献１参照）。
【特許文献１】特開２０００−１０５４６号
【発明の開示】
【発明が解決しようとする課題】
【０００４】
しかしながら、上記特許文献１に記載された文字板構造では、文字板本体の奥側に発生される虚像は、単に各画素部を拡大したものにしか過ぎなかったので、十分な視覚効果を得ることができなかった。
【課題を解決するための手段】
【０００５】
上記課題を解決するために、請求項１に記載された発明は、透明な基板で構成された文字板本体の表面に、微細レンズを多数配置して成る微細レンズ層を設けると共に、文字板本体の裏面に、微細レンズ層と対応させて拡大表示用図形部を設けて、前記微細レンズ層によって、前記拡大表示用図形部が、文字板本体に対し、奥側に離間し且つ拡大された状態で視認可能な沈込虚像部が得られるように構成した文字板構造において、前記拡大表示用図形部が、色彩等の異なる二種類の四角形状部を交互に並べて成る市松模様の図柄とされると共に、市松模様の図柄を構成する二種類の四角形状部のそれぞれに対して、色彩等ごとに方向性が異なるように、縦縞模様と横縦縞模様とを施すことにより、前記市松模様の拡大表示用図形部が、あたかも文字板本体の奥側の、文字板本体から離れた位置に、実物の織布または実物に近似した織布が存在するかの如く見え得るように構成したことを特徴としている。
【０００６】
請求項２に記載された発明は、上記において、前記文字板本体が、少なくとも、指針軸孔と、該指針軸孔を中心として周囲に拡がる指針回動領域とを有し、該指針回動領域が、指針軸孔の近くに位置する中央領域と、該中央領域の外周側に位置する数値表示領域、および、目盛領域とを有し、前記沈込虚像部が、少なくとも、中央領域の部分に対して設けられたことを特徴としている。
【発明の効果】
【０００７】
請求項１の発明によれば、上記構成によって、以下のような作用効果を得ることができる。即ち、拡大表示用図形部を、色彩等の異なる二種類の四角形状部を交互に並べて成る市松模様の図柄とすることによって、文字板本体に対し、奥側に（ほぼ平行に）離間し且つ拡大された状態で、市松模様の図柄が視認可能な沈込虚像部を得ることができる。しかも、市松模様の図柄を構成する二種類の四角形状部のそれぞれに対して、色彩等ごとに方向性が異なるように、縦縞模様と横縦縞模様とを施すことにより、前記市松模様の拡大表示用図形部が、単なる市松模様ではなく、あたかも文字板本体の奥側の、文字板本体から離れた位置に、実物の織布または実物に近似した織布が存在するかの如く見せることができる。
【０００８】
請求項２の発明によれば、上記構成によって、以下のような作用効果を得ることができる。即ち、少なくとも、文字板本体の少なくとも中央領域の部分を、沈込虚像部として、立体的な装飾が施されたように視認させることができる。特に、中央領域は、数値表示領域、および、目盛領域とは機能が異なる部分であるため、
視覚効果による立体的な装飾を施すのに最も適した部分を有効に活用することができる。
【発明を実施するための最良の形態】
【０００９】
以下、本発明を具体化した実施例について、図示例と共に説明する。
【実施例】
【００１０】
図１〜図６は、この発明の実施例を示すものである。
【００１１】
＜構成＞まず、構成について説明する。
【００１２】
自動車などの車両には、車室内の前部に樹脂製のインストルメントパネルが設けられている。このインストルメントパネルの運転席側の部分など（車幅方向の中央部の場合も存在している）には、図１に示すような、計器装置などの車両用表示装置１が設けられている。このような車両用表示装置１には、文字板２を備えたものが存在している。この文字板２は、透明な樹脂製の基板で構成された文字板本体３を有している。
【００１３】
そして、このような文字板本体３に対し、その表面に、図２に示すように、微細レンズ４を多数配置して成る微細レンズ層５を設ける。また、文字板本体３の裏面に、微細レンズ層５と対応させて拡大表示用図形部６を設ける。そして、微細レンズ層５のレンズ効果によって、図３に示すように、拡大表示用図形部６が、文字板本体３に対し、奥側に離間し且つ拡大された状態で視認可能な沈込虚像部７が得られるように構成する。
【００１４】
更に、この実施例では、以下のような構成を備えるようにする。
【００１５】
（１）上記した拡大表示用図形部６を、図４（図５も併せて参照のこと）に示すように、色彩等の異なる二種類の四角形状部１１，１２を交互に並べて成る市松模様１３の図柄とする。そして、図６に示すように、市松模様１３の図柄を構成する二種類の四角形状部１１，１２のそれぞれに対して、色彩等ごとに方向性が異なるように、縦縞模様１４と横縞模様１５とを施す。これにより、市松模様１３の拡大表示用図形部６が、あたかも文字板本体３の奥側の、文字板本体３から離れた位置に、実物の織布１６または実物に近似した織布１６が存在するかの如く見え得るように構成する。
【００１６】
（２）上記において、図１に示すように、文字板本体３を、少なくとも、指針軸孔２１と、指針軸孔２１を中心として周囲に拡がる指針回動領域２２とを有するものとする。そして、指針回動領域２２が、指針軸孔２１の近くに位置する中央領域２３と、中央領域２３の外周側に位置する数値表示領域２４、および、目盛領域２５とを有するものとする。そして、沈込虚像部７が、少なくとも、中央領域２３の部分に設けられるようにする。
【００１７】
（３）なお、上記以外の構成は、図面に開示した通りである。また、上記のより具体的な構成は、以下のようになっている。
【００１８】
「微細レンズ４」は、基本的に凸レンズとする。この微細レンズ４は、いわゆるマイクロレンズなどとする。微細レンズ４は、大きさおよび形状を揃えたものとするのが好ましい。この微細レンズ４は、精密金型を用いて文字板本体３と同時且つ一体に成形することができる。また、微細レンズ４は、予め形成された文字板本体３に対して印刷形成することもできる。微細レンズ４を印刷形成する場合には、例えば、インクジェットプリンタなどを用いて、透明樹脂を溶剤で溶かして成るインクを、文字板本体３の表面に噴射させるようにする。なお、噴射された透明樹脂は、表面張力によって自然に凸レンズの形状になる。
【００１９】
「微細レンズ層５」は、上記した多数の微細レンズ４によって、巨視的に見た場合に、全体で一つの凸レンズとして機能するように構成される。なお、「微細レンズ層５」は、微視的に見た場合に、多数の上記した微細レンズ４の集合体として機能するのは勿論である。上記したように、微細レンズ４は、極く小さなものであるため、文字板本体３に対して、微細レンズ層５は、設けられていることが余り気に成らないようなものとなる。なお、文字板本体３の表面に対する微細レンズ４の並び方（配列、設置パターンなど）や、微細レンズ４間の間隔は、上記したような特性が得られれば良いものとする。例えば、微細レンズ４は、マトリックス状に整然と配置させるようにするのが標準的である。この微細レンズ層５は、対象物（この場合には、拡大表示用図形部６）を、等倍から数十倍に拡大させるレンズ効果を有している。特に、等倍の時には、拡大表示用図形部６の沈込虚像部７は、文字板本体３の位置に存在するように視認され、拡大倍率が大きくなるに従って文字板本体３から奥側へ離れて存在するように視認されるものとなる。微細レンズ層５は、上記したように、巨視的に見て、全体で一つの凸レンズとしての機能を有するように構成されているので、微細レンズ４と拡大表示用図形部６との間に、特別な対応関係は必要とされない（例えば、上記した従来例のように、微細レンズ４と拡大表示用図形部６の図柄とを、一対一に対応させる必要性は全くない）。また、多数の微細レンズ４を有する微細レンズ層５は、拡大表示用図形部６を、文字板本体３の面方向に対してズラせたり、文字板本体３の面に沿って回転変位させたりすることによってレンズ効果（拡大倍率など）を変化させることができるものとなる。このような特性は、微細レンズ４の曲率半径や焦点距離が極く小さいことによって得られるものと考えられる。また、このような特性は、微細レンズ４の配列と、拡大表示用図形部６の図柄との交差角度などによって得られるものと考えられる。そのため、拡大表示用図形部６は、文字板本体３の裏面に対し、所要のレンズ効果が得られるように設定、調整して設けられるようにする。特に、拡大表示用図形部６が、単純な幾何学模様などである場合には、その拡大倍率になどによって、意図的に、干渉縞（モアレ）などを発生させるようにすることも可能である。
【００２０】
「拡大表示用図形部６」は、上記したように、文字板本体３裏面の、微細レンズ層５と対応する部分に設けられる。但し、拡大表示用図形部６は拡大表示されることになるので、必ずしも微細レンズ層５と等しい範囲に設ける必要はなく、拡大表示用図形部６は、必要な沈込虚像部７が得られるのであれば、微細レンズ層５よりも狭い範囲、或いは、反対に広い範囲に設けるようにすることができる。また、拡大表示用図形部６は、文字板本体３の裏面に対して印刷形成される。拡大表示用図形部６は、透光性または半透光性のものとしても、不透光性のものとしても良い。但し、少なくとも、拡大表示用図形部６を透光性または半透光性とする場合には、少なくとも、拡大表示用図形部６の裏面側に、不透光性のマスク層３１を形成しておくようにするのが好ましい。不透光性のマスク層３１は、印刷形成することができる。不透光性のマスク層３１は、通常は、黒色印刷層などで構成される。なお、拡大表示用図形部６を不透光性とした場合についても、拡大表示用図形部６の裏面側に、同様の不透光性のマスク層３１を形成しても良いことは勿論である。
【００２１】
「沈込虚像部７」は、文字通り、文字板本体３に対して、奥側に沈み込んだように見える拡大虚像である。この場合、沈込虚像部７は、文字板本体３に対して、立体的な装飾を施した如きものとして形成される（立体装飾）。
【００２２】
そして、拡大表示用図形部６を、上記したような「市松模様１３」の図柄とする場合、色彩等（色彩や明度等）の異なる二種類の四角形状部１１，１２は、例えば、それぞれ正方形とするのが好ましい。この場合、元図となる市松模様１３の四角形状部１１，１２の大きさは、例えば、図４に示すように、一辺が１ｍｍ程度またはそれ以下のものなどとする。そして、沈込虚像部７として視認される四角形状部１１，１２は、例えば、図５に示すように、一辺が３〜１５ｍｍ程度、好ましくは、一辺が５〜１０ｍｍ程度の大きさに拡大されるように拡大倍率を設定、調整される。また、二種類の四角形状部１１，１２に使用される色彩等は、主に、白や、黒や、グレーなどが考えられるが、それ以外の色彩等を使用しても良い。なお、この場合には、白と黒との組合せとされている。
【００２３】
二種類の四角形状部１１，１２に施される「縦縞模様１４」と「横縞模様１５」とは、好ましくは、相手方の色彩等を用いて形成されるようにする。なお、縦縞模様１４と横縞模様１５とは、これ以外の色彩等を用いるようにしても良い。縦縞模様１４および横縞模様１５の縞の太さや本数などは、状況に応じて最適となるように調整する。この場合には、図６に示すように、白の四角形状部１１に対し縦縞模様１４として黒い３本の縦線が施され、黒の四角形状部１２に対し横縞模様１５として白い３本の横線が施されることによって、縦縞模様１４と横縞模様１５とが形成されるようにしている。上記した縦線と横線とは、四角形状部１１，１２の対応する辺とほぼ平行なものとされている。なお、上記した縦線と横線との数は、それぞれ３本ずつに限るものではなく、それより少なくても多くても、数が異なるものとしても良い。
【００２４】
「実物の織布１６」または「実物に近似した織布１６」は、例えば、カーボンファイバーなどの高機能繊維布がイメージされるようにするのが好ましい。この高機能繊維布は、若干粗目のものとした方が視覚効果としては好ましい。上記した拡大倍率は、これらのことを考慮して設定する。
【００２５】
一方、アナログ式の車両用表示装置１の場合、文字板本体３の表面側には、文字板本体３に対してほぼ平行な状態で、図示しない指針が配設される。この指針は、文字板本体３に沿って回動可能に配置される。そのために、指針は、その基部を、指針軸によって回動可能に支持される。そして、文字板本体３には、指針軸を、面直方向に貫通配置可能な指針軸孔２１が形成される。なお、指針を有する車両用表示装置１には、速度計や回転計、または、燃料計や水温計などが存在する。
【００２６】
そして、「指針回動領域２２」は、好ましくは、指針軸孔２１を中心とする円形状のものなどとする。但し、指針回動領域２２は、円形に限るものではない。例えば、一部（例えば下部）が切欠かれた部分円形状などとすることもできる。なお、指針回動領域２２は、一枚の文字板本体３に対して、単数形成することも、複数形成することも可能である。この場合には、単数形成されたものとしている。
【００２７】
「中央領域２３」は、指針回動領域２２における、指針の基部および中間部が通過する部分に設けられる。これに対し、「数値表示領域２４」および「目盛領域２５」は、指針回動領域２２における、指針の先端部が通過する部分やその外周部分に設けられる。中央領域２３は、指針によって運転情報を読取るのには必要のない部分（非現示部分）であるのに対し、数値表示領域２４および目盛領域２５は、指針によって運転情報を読取るのに必要な部分（現示部分）であるという、機能上の違いを有している。目盛領域２５は、最も効果的な視認性を得るために、通常は、数値表示領域２４とは別にして、数値表示領域２４の外周側に位置するように設けられる。但し、目盛領域２５は、数値表示領域２４と一緒に設けるようにしても良いし、または、数値表示領域２４の内周側に設けるようにしても良い。数値表示領域２４には、数値部３２などが形成され、目盛領域２５には、目盛部３３が形成される。通常の場合、数値表示領域２４および目盛領域２５には、それぞれ、同色または異なる色彩等の背景部３４，３５が施される。数値表示領域２４および目盛領域２５の、背景部３４，３５、および、数値部３２、目盛部３３は、透明な文字板本体３の表面または裏面に印刷形成される。
【００２８】
なお、指針回動領域２２の外側に対し、所要の幅寸法を有する縁部３６などを設けるようにしても良い。
【００２９】
また、沈込虚像部７（を構成する微細レンズ層５と拡大表示用図形部６と）は、数値表示領域２４や目盛領域２５に対しても設けることができる。この場合には、数値表示領域２４および目盛領域２５の背景部３４，３５の着色をなくして（即ち、背景を透明のままにしておいて）、透明な文字板本体３の表面または裏面に、数値部３２、目盛部３３のみ印刷形成させるようにすることにより、外部から沈込虚像部７が視認され得るようにする。但し、数値表示領域２４や目盛領域２５に対して沈込虚像部７を設けた場合において、数値表示領域２４または目盛領域２５の微細レンズ層５に背景部３４，３５を施すことにより、形成した沈込虚像部７が外部から視認できないように隠してしまうようにすることも構造的には可能である。これによって、沈込虚像部７の仕様が異なる文字板２を簡単に作り分けることが可能となる。
【００３０】
＜作用＞次に、この実施例の作用について説明する。
【００３１】
表面に微細レンズ層５を有し、裏面に拡大表示用図形部６を有することにより、沈込虚像部７が得られるように構成された上記の文字板本体３を、車両用表示装置１に組込んで、車室内に設置させるようにする。これにより、文字板本体３の沈込虚像部７は、奥行感を有する立体画像（３Ｄ画像）として視認され、文字板本体３を装飾することになる。
【００３２】
そして、この実施例によれば、以下のような作用効果を得ることができる。
【００３３】
（１）透明な基板で構成された文字板本体３の表面に、微細レンズ４を多数配置して成る微細レンズ層５を設けると共に、文字板本体３の裏面に、微細レンズ層５と対応させて拡大表示用図形部６を設けて、微細レンズ層５のレンズ効果によって、拡大表示用図形部６が、文字板本体３に対し、奥側に離間し且つ拡大された状態で視認可能な沈込虚像部７が得られるように構成した文字板構造において、拡大表示用図形部６が、色彩等の異なる二種類の四角形状部１１，１２を交互に並べて成る市松模様１３の図柄とされると共に、市松模様１３の図柄を構成する二種類の四角形状部１１，１２のそれぞれに対して、色彩等ごとに方向性が異なるように、縦縞模様１４と横縞模様１５とを施すことにより、市松模様１３の拡大表示用図形部６が、あたかも文字板本体３の奥側の、文字板本体３から離れた位置に、実物の織布１６または実物に近似した織布１６が存在するかの如く見え得るように構成したことによって、以下のような作用効果を得ることができる。
【００３４】
即ち、拡大表示用図形部６を、色彩等の異なる二種類の四角形状部１１，１２を交互に並べて成る市松模様１３の図柄とすることによって、文字板本体３に対し、奥側に（ほぼ平行に）離間し且つ拡大された状態で、市松模様１３の図柄が視認可能な沈込虚像部７を得ることができる。
【００３５】
しかも、市松模様１３の図柄を構成する二種類の四角形状部１１，１２のそれぞれに対して、色彩等ごとに方向性が異なるように、縦縞模様１４と横縞模様１５とを施すことにより、市松模様１３の拡大表示用図形部６が、単なる市松模様１３ではなく、あたかも文字板本体３の奥側の、文字板本体３から離れた位置に、実物の織布１６または実物に近似した織布１６が存在するかの如く見せることができる。
【００３６】
この際、市松模様１３の二種類の四角形状部１１，１２に使用される色彩等を、白と黒などの明度の差が大きいものとすることにより、錯視によって、白が膨張し、黒が収縮して見えるので、二種類の四角形状部１１，１２の間に、縦糸と横糸とが上下に織重なったような感じが出せることとなり、これによって、実物の織布１６または実物に近似した織布１６が、よりリアルに奥部に存在するように見せることができる。
【００３７】
なお、本物の織布１６を、単に、文字板本体３の裏面側に離して配置するようにした場合、却って、立体画像（３Ｄ画像）のようには見えなくなってしまうおそれがあるため、本物の織布１６の配置や見せ方などに工夫を凝らす余地が出てくるように思われるが、この実施例のように、縦縞模様１４と横縞模様１５とを有する市松模様１３の図柄を用いて本物の織布１６を表現するようにした場合には、比較的容易に、実在感を出す（演出する）ことが可能となる。
【００３８】
また、例えば、文字板本体３の裏面側に、実物の織布１６などを配置するようにした場合には、文字板本体３周辺の厚さ寸法が大きくなったり、材料コストがかかったり、装置全体の構成や製造工程が複雑になったりするなどの様々な問題が生じるのに対して、この実施例のように、縦縞模様１４と横縞模様１５とを有する市松模様１３の図柄を用いることにより、文字板本体３周辺の厚みや材料コストを抑えると共に、装置全体の構成や製造工程の簡略化などを図ることができる。
【００３９】
（２）上記において、文字板本体３が、少なくとも、指針軸孔２１と、指針軸孔２１を中心として周囲に拡がる指針回動領域２２とを有し、指針回動領域２２が、指針軸孔２１の近くに位置する中央領域２３と、中央領域２３の外周側に位置する数値表示領域２４、および、目盛領域２５とを有し、沈込虚像部７が、少なくとも、中央領域２３の部分に対して設けられたことにより、以下のような作用効果を得ることができる。
【００４０】
即ち、少なくとも、文字板本体３の少なくとも中央領域２３の部分を、沈込虚像部７として、立体的な装飾が施されたように視認させることができる。特に、中央領域２３は、数値表示領域２４、および、目盛領域２５とは機能が異なる部分であるため、視覚効果による立体的な装飾を施すのに最も適した部分を有効に活用することができる。
【００４１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００４２】
【図１】本発明の実施例にかかる文字板の平面図である。
【図２】図１の断面図である。
【図３】図２の拡大表示用図形部の見え方を示す断面図である。
【図４】図２の拡大表示用図形部の市松模様の図柄を示す図である。
【図５】図４の拡大表示用図形部の市松模様の図柄の見え方を示す図である。
【図６】図２の市松模様の図柄に施した縦縞模様および横縞模様を示す図である。
【符号の説明】
【００４３】
２    文字板
３    文字板本体
４    微細レンズ
５    微細レンズ層
６    拡大表示用図形部
７    沈込虚像部
１１  四角形状部
１２  四角形状部
１３  市松模様
１４  縦縞模様
１５  横縞模様
１６  実物の織布
２１  指針軸孔
２２  指針回動領域
２３  中央領域
２４  数値表示領域
２５  目盛領域
【図１】
2010038812.tif 000003
【図２】
2010038812.tif 000004
【図３】
2010038812.tif 000005
【図４】
2010038812.tif 000006
【図５】
2010038812.tif 000007
【図６】
2010038812.tif 000008
【手続補正書】
【提出日】平成21年1月15日(2009.1.15)
【手続補正１】
【補正対象書類名】明細書
【補正対象項目名】０００３
【補正方法】変更
【補正の内容】
【０００３】
そして、このような文字板本体に対し、その表面に複数の凸レンズ部を形成すると共に
、その裏面に、各凸レンズ部のそれぞれと対応する画素部を備えることにより、各凸レン
ズ部で各画素部を拡大させて、文字板本体の奥側に画素部の虚像を発生させるようにした
ものが知られている（例えば、特許文献１参照）。
【特許文献１】特開２０００−３１０５４６号